(57)【要約】【課題】携帯電話装置の中にストラップ巻き付け部を設け、携帯電話装置内にストラップを自動的に収納する携帯電話装置用のストラップ収納装置を提供する。【解決手段】携帯電話装置の中に設けられストラップ２全体を収納するストラップ巻き付け部８と、ストラップ巻き付け部８を作動するモーター１５と、ストラップ巻き付け部８を作動する第１の歯車５とモーター１５の動力を伝達する第２の歯車６とを結合させる収納スイッチ４と、収納スイッチ４により活性化されモーター１５の動作を制御するコントローラ１３とを備え、収納スイッチ４の制御により、携帯電話装置内に対し希望する長さのストラップ２を収納することができる。【選択図】　図１整理番号８６０８１４８５１３　　　　　　　　　　　　　　　　　　　１／２
2004023680.tif 000002
【特許請求の範囲】
【請求項１】
携帯電話装置の中に設けられたストラップを収納するストラップ巻き付け部と、前記ストラップ巻き付け部を作動する動力手段と、前記ストラップ巻き付け部に動力を伝達する第１の動力伝達手段と前記動力手段の動力を伝達する第２の動力伝達手段とを結合させる収納スイッチと、前記収納スイッチにより活性化され前記動力手段の動作を制御する制御手段とを備え、前記制御手段の制御により、前記携帯電話装置内に希望する長さのストラップを収納することを特徴とするストラップ収納装置。
【請求項２】
前記第２の動力伝達手段は、バイブレーター機能を有する前記動力手段の先端に設けられた歯車であることを特徴とする請求項１記載のストラップ収納装置。
【請求項３】
一端が筐体に固定され他端が前記ストラップ巻き付け部のストラップ巻き軸と噛み合う形状を有するストラップ固定軸を備えることを特徴とする請求項１または２記載のストラップ収納装置。
【請求項４】
前記制御手段は、前記動力手段をストラップ巻き付け用として制御している間は前記動力手段のバイブレーター機能を解除する手段を有することを特徴とする請求項２ないし３のいずれかに記載のストラップ収納装置。
【請求項５】
前記動力手段の回転数及び回転時間を段階的に記憶する記憶手段を備え、前記携帯電話装置のメニューは前記記憶手段に記憶されている前記動力手段の回転数及び回転時間を設定する機能を有することを特徴とする請求項１ないし４のいずれかに記載のストラップ収納装置。
【請求項６】
前記制御手段は前記記憶手段に格納されている前記動力手段の回転数及び回転時間を任意に設定し及び変更する機能を有することを特徴とする請求項１ないし５のいずれかに記載のストラップ収納装置。
【請求項７】
前記制御手段は、前記動力手段に加わる負荷を検知し負荷のレベルに応じて前記動力手段の回転を停止する手段を備えることを特徴とする請求項１ないし６のいずれかに記載のストラップ収納装置。
【請求項８】
前記第２の動力伝達手段は、前記バイブレーター機能の振動を与える分銅と共用することをを特徴とする請求項１ないし７のいずれかに記載のストラップ収納装置。
【発明の詳細な説明】
【０００１】
【発明の属する技術分野】
本発明は、落下防止用として携帯電話装置に備えられるストラップ収納装置に関する。
【０００２】
【従来の技術】
従来、携帯電話装置の落下防止用のストラップは、携帯電話装置の筐体の外部に取り付けるようにしていたため、ストラップを必要としないユーザーはストラップを取り外して使用し、また、長いストラップを要望するユーザーはストラップの長さが固定されているため、個別に長いストラップを購入して使用していた。
そのため、図２に示す実用登録第３０６２６７８号公報に公開されているような携帯電話用ストラップが提案されている。この携帯電話用ストラップによると、携帯電話の外部に紐（ストラップ）を巻き取る巻き取り具を設け、紐の部分を巻き取り式にしてストラップの長さを調節するようにしたものである。
【０００３】
【発明が解決しようとする課題】
しかしながら、上記のような従来の携帯電話装置用ストラップでは、ストラップの一部に巻き取り具を取り付け、手動でストラップを巻き取ることにより、ストラップの長さを伸縮できるようにしているため、携帯電話装置とは別に、携帯電話装置の外部にストラップの巻き取り具が必要であるという問題があった。
【０００４】
本発明は、上記従来の問題を解決するためになされたもので、携帯電話装置の中にストラップ巻き付け部を設け、携帯電話装置内にストラップを自動的に収納する携帯電話装置用のストラップ収納装置を提供するものである。
【０００５】
【課題を解決するための手段】
本発明におけるストラップ収納装置は、携帯電話装置の中に設けられストラップ全体を収納するストラップ巻き付け部と、前記ストラップ巻き付け部を作動する動力手段と、前記ストラップ巻き付け部を作動する第１の動力伝達手段と前記動力手段の動力を伝達する第２の動力伝達手段とを結合させる収納スイッチと、前記収納スイッチにより活性化され前記動力手段の動作を制御する制御手段とを備え、前記制御手段の制御により、前記携帯電話装置内に対し希望する長さのストラップを収納するという構成を有している。この構成により、収納スイッチをオンすることによって筐体外部にはみ出しているストラップを携帯電話装置内に設けたストラップ巻き付け部に巻き付けることにより、ストラップの長さを調整することができる。
【０００６】
本発明におけるストラップ収納装置は、前記第２の動力伝達手段が、バイブレーター機能を有する前記動力手段の先端に設けられた歯車であるという構成を有している。この構成により、１つの動力手段によりバイブレーターの機能である振動とストラップの収納とを行うことができる。
【０００７】
本発明におけるストラップ収納装置は、一端が筐体に固定され他端が前記ストラップ巻き付け部のストラップ巻き軸と噛み合う形状を有するストラップ固定軸を備えるという構成を有している。この構成により、収納スイッチがオフ位置に移動することにより筐体に固定されたストラップ固定軸とストラップ巻き軸が結合してストラップ巻き付け部が固定され、筐体外部にはみ出したストラップの希望する長さを一定に保つことができる。
【０００８】
本発明におけるストラップ収納装置は、前記制御手段が、前記動力手段をストラップ巻き付け用として制御している間は前記動力手段のバイブレーター機能を解除する手段を有するという構成を有している。この構成により、バイブレーター機能の設定による着信時の動力手段の駆動を回避して、着信によるストラップ収納を防止することができる。
【０００９】
本発明におけるストラップ収納装置は、前記動力手段の回転数及び回転時間を段階的に記憶する記憶手段を備え、前記携帯電話装置のメニューは前記記憶手段に記憶されている前記動力手段の回転数及び回転時間を設定する機能を有するという構成を有している。この構成により、ストラップ巻き付け部の回転を調整してストラップのスムーズな収納ができ、更に、ストラップ巻き付け部の回転時間が設定されることから１回の収納スイッチのオンにより一定のストラップ長に調整することができる。
【００１０】
本発明におけるストラップ収納装置は、前記制御手段が前記記憶手段に格納されている前記動力手段の回転数及び回転時間を任意に設定し及び変更する機能を有するという構成を有している。この構成により、使用するユーザーの要求に応じてストラップ収納の時間を制御することができる。
【００１１】
本発明におけるストラップ収納装置は、前記制御手段が、前記動力手段に加わる負荷を検知し負荷のレベルに応じて前記動力手段の回転を停止する手段を備えるという構成を有している。この構成により、無駄な動力手段（モーター）の回転を停止することにより動力手段の駆動による消費電流の削減とストラップ先端に取り付けてあるクリップや動力手段及びストラップ収納装置自体の破損を防止することができる。
【００１２】
本発明におけるストラップ収納装置は、前記第２の動力伝達手段が前記動力手段の分銅と共用するという構成を有している。この構成により、バイブレーターの使用時に必要な振動を与える分銅とストラップ収納に必要な歯車（動力伝達手段）とを共用できることから、筐体内のスペースを有効に使用でき、更に装置の小型化を図ることができる。
【００１３】
【発明の実施の形態】
以下、添付図面に基づき、本発明の一実施の形態を詳細に説明する。
まず、図１を参照して、本発明の一実施の形態における携帯電話装置用のストラップ収納装置の構成を説明する。本実施の形態における携帯電話装置用のストラップ収納装置は、先端に携帯電話装置の下落を防止するクリップ１が取り付けられたストラップ２を収納するストラップ巻き付け部８と、筐体３に固定され端部がストラップ巻き軸７と噛み合う形状を有しているストラップ固定軸９と、ストラップ巻き軸７を介してストラップ巻き付け部８を駆動する第１の動力伝達手段としての歯車５と、歯車５を第２の動力伝達手段としての歯車６に噛み合わせるとともに、ストラップ巻き付け情報用スイッチ１１をオンする移動具１０を作動させるスイッチ４と、歯車６を介してストラップ巻き付け部８のストラップ巻き付け機能を作動する動力手段としてのモーター１５と、バイブレーター機能を備えたモーター１５の分銅１４と、ストラップ巻き付け情報用スイッチ１１のオンにより活性化され、巻き取り時間に関するメモリ１７の設定内容に応じてモーター１５を制御する制御手段としてのコントローラ１３とを備える。
【００１４】
次に、図１を参照して、本発明の一実施の形態における携帯電話装置用のストラップ収納装置の各構成要素の機能及び動作を詳細に説明する。本実施の形態における携帯電話装置用のストラップ収納装置は、携帯電話装置内にモーター１５と、モーター１５のモーター回転軸１２にはバイブレーター機能を有する分銅１４とその先に歯車６が設けられ、歯車６及び分銅１４はモーター１５の回転と同時に回転する。また、携帯電話装置のメニューには、バイブレーター機能とは別に、メモリ１７に段階的に記憶するモーター１５の回転数及び回転時間を設定するストラップ収納機能を有し、ユーザーが任意に選択することができる。
【００１５】
更に、筐体３の中に装荷されるストラップ２の先端はストラップ巻き付け部８に固定され、筐体３の外部には、モーター１５の回転により回転する歯車６と噛み合うよう歯車５を移動させる収納スイッチ４が備えられる。収納スイッチ４は手動によりオンオフ動作を行い、オンすると、移動具１０を介して歯車５が歯車６と噛み合うように作動する。すなわち、移動具１０は収納スイッチ４の操作により、歯車５と歯車６とを噛み合わせるとともに、ストラップ巻き付け情報用スイッチ１１をオンするよう移動する。ストラップ巻き付け情報用スイッチ１１のオン状態（例えばロー電位）をコントローラ１３が検出すると、コントローラ１３は、メモリ１７に段階的に記憶されているモーター１５の回転数及び回転時間に従い、モーター１５を駆動してその駆動を制御する。
【００１６】
また、モーター１５がバイブレーターのためのモーターとして及びストラップ収納用のモーターとして共用される場合には、コントローラ１３は、モーター１５がストラップ収納用として作動中、バイブレーター機能の設定を解除する解除手段を有する。また、コントローラ１３はモーター１５の電流負荷を検出し、電流負荷のレベルに応じてモーター１５の回転を停止する。
【００１７】
収納スイッチ４を手動でオンにすると、そのオン状態により歯車５と歯車６とが噛み合わされるとともに、コントローラ１３を制御してモーター１５を回転する。モーター１５が回転すると、ストラップ巻き付け部８と歯車５の軸を構成しているストラップ巻き軸７が歯車５の回転により回転し、ストラップ２がストラップ巻き付け部８に巻き付けられる。また、収納スイッチ４をオフ側へ移動すると歯車５と歯車６の噛み合わせがなくなると同時に、筐体３に固着されているストラップ固定軸９とストラップ巻き軸７の先端が固着されて、ストラップ巻き軸７の回転を停止する。更に、移動具１０が原位置に復帰することによりストラップ巻き付け情報用のスイッチ１１がオフとなり、コントローラ１３からモーター１５に対する駆動制御を停止する。
【００１８】
このようにして、収納スイッチ４をオンにするとモーター１５の回転がストラップ巻き付け部８に伝わり、ストラップ２を筐体３の内部に巻き付けすることができる。
また、バイブレーター機能としてのモーター１５とストラップ収納用のモーター１５とを共用することができ、１つのモーター１５でバイブレーター機能である振動とストラップ２の収納とを可能にすることができる。
【００１９】
収納スイッチ４をオフすると、ストラップ巻き軸７とストラップ固定軸９の先端が噛み合い、ストラップ巻き付け部８が固定されると同時にモーター１５の回転もオフし、ストラップ２を希望する長さで固定することができる。
また、移動具１０により押されたストラップ巻き付け情報用スイッチ１１のロー電位をコントローラ１３が認識中はバイブレーターの設定を解除して、バイブレーター機能の設定による着信時のモーター１５の回転を停止する手段を設け、着信によるストラップ２の収納を回避することができる。
【００２０】
ストラップ収納機能をメニューに持ち、ストラップ２の収納に合ったモーター１５の回転数及び回転時間をメモリ１７に設定できることから安定したストラップ２の収納が確保できる。
また、使用するユーザーがメモリ１７に格納されているストラップ収納におけるモーター１５の回転数及び回転時間を任意に設定し及び変更することができる機能を有することから、使い勝手を向上することができる。
【００２１】
コントローラ１３がスイッチ１１のロー電位を認識している間は、コントローラ１３によるモーター１５の駆動制御を行うことができ、モーター１５の回転によりストラップ２を携帯電話装置内に収納することができる。
また、モーター１５に加わる電流負荷をコントローラ１３が検知し、電流負荷がある一定のレベルに達するとモーター１５の回転を自動的に止めることができるので、モーター１５及びストラップ収納装置自体の破壊を防止することができる。
【００２２】
モーター１５の分銅１４を歯車状に形成すると歯車６を省略することができるので、装置の簡素化を図ることができる。
また、歯車６を分銅１４と同様な形状とすることにより、バイブレーター設定時の振動の向上を図ることができる。
【００２３】
【発明の効果】
本発明における携帯電話装置用ストラップ収納装置は、上記のように構成され、特に、携帯電話装置の中にストラップを収納するストラップ巻き付け部を設け、スイッチを押している間、バイブレーターモーターを利用して、電動により巻き付け部にストラップを巻き付けるようにしたことにより、筐体外部に出ているストラップを希望する長さだけ筐体内部に自動で収納し、ストラップの長さを容易に調整することが可能となる。
【図面の簡単な説明】
【図１】本発明の一実施の形態における携帯電話装置用ストラップ収納装置の構成を示すブロック図、
【図２】従来のスライドストラップの構成を示す概略図。
【符号の説明】
１　クリップ
２　ストラップ
３　筐体
４　収納スイッチ
５、６　歯車
７　ストラップ巻き軸
８　ストラップ巻き付け部
９　ストラップ固定軸
１０　移動具
１１　ストラップ巻き付け情報用スイッチ
１２　モーター回転軸
１３　コントローラ
１４　分銅
１５　モーター
１６　収納キー
１７　メモリ
【図１】
2004023680.tif 000003
【図２】
2004023680.tif 000004